(57)【特許請求の範囲】
【請求項１】
上面視で矩形をなし且つ周縁が屈曲されて４つの側壁をなすシールドケースを基板上に固定するに際し、前記シールドケースの対角線上に位置する２つの角部にそれぞれ配置されるシールドケース固定具において、
前記２つの角部のうちの１つの対象角部と対応した位置にて、前記基板上に固定される板状のベースと、
前記対象角部を形成する２つの側壁のうちの一方となる第１側壁の内側に位置付けられるべく前記ベースに対して一体に屈曲して形成され、前記第１側壁の内面を押さえつけけ可能な内側の押圧片と、
前記２つの側壁のうちの他方となる第２側壁の外側に位置付けられるべく前記ベースに
対して一体に屈曲して形成され、前記第２側壁の外面を押さえつけ可能な外側の押圧片とからなり、
前記内側及び前記外側の押圧片は、前記シールドケースの固定時、前記対象角部を介在させて隣り合うことを特徴とするシールドケース固定具。
【請求項２】
前記押圧片は、
前記シールドケースの固定時に前記シールドケースの対応する側壁との接触をなす接触部と、
前記シールドケースの固定時に前記接触部の前記接触に伴って変形し、前記接触部で前記シールドケースの前記対応する側壁を押さえつけさせる変形部と
を有することを特徴とする、請求項１に記載のシールドケース固定具。
【発明の詳細な説明】
【技術分野】
【０００１】
本発明は、基板上に実装された電子部品を覆うシールドケースを基板に実装させるための固定具に関する。
【背景技術】
【０００２】
従来、基板上に実装された電子部品を覆うようにして金属製のシールドケースを基板上に実装させ電磁波の遮断を行うようにしている。シールドケースの基板への実装手法として、例えば蓋と下方へ折り曲げた側壁を有する矩形の箱状のシールドケースのそれぞれの側壁に合うように予め半田等で基板に複数のシールドケース固定具を固定しておき、当該シールドケース固定具に設けられた一対の指部の間に形成された間隙に上記側壁を挿入することでシールドケースを固定するシールドケース固定具が知られている（特許文献１、２及び３）。
【０００３】
しかしながら、上記特許文献１，２及び３では、複数のシールドケース固定具に設けられた一対の指部の間に形成された間隙にシールドケースの側壁を挿入してシールドケースを固定するようにしており、シールドケースを確実に固定するには少なくとも４個以上のシールドケース固定具が必要となり、シールドケース固定具の員数が増加しコストアップとなる問題がある。
【０００４】
そこで、シールドケースの対角の二つの角をそれぞれのシールドケース固定具で固定することにより、シールドケース固定具の員数を低減し、コストアップを抑制することができるシールドケース固定具が開発されている（特許文献４）。
【先行技術文献】
【特許文献】
【０００５】
【特許文献１】特開２０００−１９６２８０号公報
【特許文献２】特開２００７−３２４４６９号公報
【特許文献３】意匠登録第１１５１０４４号公報
【特許文献４】意匠登録第１１５１０４２号公報
【発明の概要】
【発明が解決しようとする課題】
【０００６】
上記特許文献４では特許文献１、２及び３と同様にシールドケース固定具の一対の指部の間隙にシールドケースの側壁を挿入して、シールドケースを固定するようにしている。
しかしながら、シールドケース固定具の一対の指部の間隙にシールドケースの側壁を挿入してシールドケースの固定を行う場合、シールドケースの板厚により間隙の幅を変更する必要がある。即ち、シールドケースの板厚に対応した間隙を有するシールドケース固定具をシールドケースの板厚に合わせて製作しておく必要があり、シールドケース固定具のバリエーションが増加し好ましいことではない。
【０００７】
本発明は、この様な問題を解決するためになされたもので、その目的とするところは、複数のシールドケースの板厚に対応することのできるシールドケース固定具を提供することにある。
【課題を解決するための手段】
【０００８】
上記の目的を達成するために、請求項１のシールドケース固定具は、上面視で矩形をなし且つ周縁が屈曲されて４つの側壁をなすシールドケースを基板上に固定するに際して、前記シールドケースの対角線上に位置する２つの角部にそれぞれ配置されるシールドケース固定具において、
前記２つの角部のうちの１つのである対象角部と対応した位置にて、前記基板上に固定される板状のベースと、
前記対象角度を形成する２つの側壁のうちの一方となる第１側壁の内側に位置付けられるべく前記ベースに対して一体に屈曲して形成され、前記第１側壁の内面を押さえつけ可能な内側の押圧片と、
前記２つの側壁のうちの他方となる第２側壁の外側に位置付けられるべく前記ベースに対して一体に屈曲して形成され、前記第２側壁の外面を押さえつけ可能な外側の押圧片とからなり、
前記内側及び前記外側の押圧片は、前記シールドケースの固定時、前記対象角部を介在させて隣り合うことを特徴とする。
【０００９】
また、請求項２のシールドケース固定具によれば、前記押圧片は、前記シールドケースの固定時に、前記シールドケースの対応する側壁との接触をなす接触部と、前記シールドケースの固定時に前記接触部の前記接触に伴って変形し、前記接触部で前記シールドケースの前記対応する側壁を押さえつけさせる変形部とを有することを特徴とする。
【発明の効果】
【００１０】
請求項１の発明によれば、内側及び外側の押圧片がシールドケースの対象角部を介在させて隣り合う状態でベースを介して基板上に固定されることから、内側の押圧片は対象角部を形成する２つの側壁のうちの一方を内側より押さえる一方、外側の押圧片は前記２つの側壁の他方を外側より押さえる。
【００１１】
従って、シールドケース固定具の基板への固定位置を変更することで、同一形状の一種類のシールドケース固定具によって、バリエーションを増加させることなく、複数の板厚のシールドケースを保持し、基板上に固定することができる。
また、請求項２によれば、内側及び外側の押圧片は、それぞれ変形部が変形することにより接触部でシールドケースの対応する側壁を押さえつけてシールドケースを保持するようにしているので、複数の板厚のシールドケースを確実にシールドケース固定具に保持することができる。
【図面の簡単な説明】
【００１２】
【図１】本発明の実施形態に係るシールドクリップの斜視図である。
【図２】本発明の実施形態に係るシールドクリップの上面図である。
【図３】本発明に係る矢視Ａを示す図である。
【図４】本発明に係る矢視Ｂを示す図である。
【図５】本発明の実施形態に係るシールドクリップの基板への取付状態を示す概略図である。
【図６】本発明の実施形態に係るシールドクリップの使用例を示す図である。
【図７】本発明に係る断面Ｃ−Ｃを示す図である。
【図８】本発明に係る断面Ｄ−Ｄを示す図である。
【発明を実施するための形態】
【００１３】
以下、本発明の実施の形態を図面に基づき説明する。
図１は、本発明の実施形態に係るシールドクリップの斜視図である。また、図２は、シールドクリップの上面図である。また、図３及び図４は、図２中に記載された矢視Ａ及びＢを示す図である。図５は、シールドクリップの基板への取付状態を示す概略図である。なお、各々の図中の二点鎖線はシールドケースを、図５中ハッチング部はシールドケースが装着された場合の位置を示す。
【００１４】
シールドクリップ１０は、金属の薄板を打ち抜き加工及び屈曲されることで製造されるものである。
シールドケース２０は、金属の薄板の周縁を屈曲させて側壁２２を形成してなり、上面視で矩形形状をなして下方が開放した箱状の構造物である。
以下、シールドクリップ（シールドケース固定具）１０の構成を詳しく説明する。
【００１５】
図１〜４に示すように、シールドクリップ１０は、大きく分けてシールドケース２０の側壁２２を内側から外側に向けて押さえる内側押部（内側の押圧片）１１、シールドケース２０の側壁２２を外側から内側に向けて押さえる外側押部（外側の押圧片）１２及び内側押部１１と外側押部１２とを接続する接続部（ベース）１３で構成され、これらが一体に成形されている。
【００１６】
内側押部１１は、シールドケース２０取付時に変形するよう、上側に凸状の略逆Ｖ字形状の変形部１１ａが屈曲して形成されている。変形部１１ａのうちシールドケース２０の固定時に外側方向となる一方の端部には、シールドケース２０の側壁２２の内面２２ａと接触する接触部１１ｂが略くの字状に屈曲され形成されている。
また、外側押部１２は、シールドケース２０取付時に変形するよう、上側に凸状の略逆Ｖ字形状の変形部１２ａが屈曲して形成されている。変形部１２ａのうちシールドケース２０固定時に内側方向となる一方の端部にはシールドケース２０の側壁２２の外面２２ｂと接触する接触部１１ｂが略くの字状に屈曲され形成されている。
【００１７】
また、接続部１３は、上面視で略Ｌ字形状に形成されており、接続部１３には、内側押部１１の接触部１１ｂや外側押部１２の接触部１２ｂが形成されていない他方の端部がそれぞれ接続されている。
即ち、シールドクリップ１０は、接続部１３の略Ｌ字形状の一辺にシールドケース２０の一辺側の側壁２２の内面２２ａを外側方向に向け押さえ付け可能なように内側押部１１が形成され、また他辺に内側押部１１が押さえつける側壁２２と隣り合うシールドケース２０の他辺側の側壁２２の外面２２ｂを内側方向に向け押さえ付け可能なように外側押部１２が形成されて構成されている。また、シールドクリップ１０の内側押部１１と外側押部１２とは、内側押部１１の端部１１ｃと外側押部１２の接触部１２ｂとが所定距離の間隙１３ａを有するように形成されている。
【００１８】
そして、このように構成されたシールドクリップ１０は、図５に示すように、シールドケース２０が基板３０上に配設された図示しない電子部品を覆うことが可能なよう、二つのシールドクリップ１０がそれぞれシールドケース２０の二つの角に対応する位置にハンダ付けで固定されている。詳しくは、二つの内の一方のシールドクリップ１０は、シールドケース２０の一の角２１に対応する位置に、内側押部１１の変形部１１ａが変形してシールドケース２０の一辺側の側壁２２の内面２２ａを接触部１１ｂで押さえつけるように、また外側押部１２の変形部１２ａが変形してシールドケース２０の他辺側の側壁２２の外面２２ｂを接触部１２ｂで押さえつけるように基板３０上にハンダ付けされ固定されている。また、二つの内の他方のシールドクリップ１０は、シールドケース２０の一の角２１の対角の他の角２３に対応する位置に、上記一方のシールドクリップ１０と同様に基板３０上にハンダ付けされ固定されている。
【００１９】
次に、このように基板３０上に固定されたシールドクリップ１０の作用及び効果について説明する。図６は、シールドクリップ１０の使用例を示す図である。図７は、図６における断面Ｃ−Ｃを示す図である。図８は、図７における断面Ｄ−Ｄを示す図である。
図６〜８に示すように、シールドケース２０は、それぞれのシールクリップ１０の内側押部１１の端部１１ｃと外側押部１２の接触部１２ｂとの間の間隙１３ａにシールドケース２０の他辺側の側壁２２が収まるよう、基板３０の上方よりシールクリップ１０に挿入される。
【００２０】
これより、シールドケース２０は、シールドクリップ１０の内側押部１１の変形部１１ａが変形し接触部１１ｂによって一辺側の側壁２２の内面２２ａが押さえつけられ、更に外側押部１２の変形部１２ａが変形し接触部１２ｂによって他辺側の側壁２２の外面２２ｂが押さえつけられることによりシールドクリップ１０に保持され、基板３０上に確実に固定される。
【００２１】
このように、本発明の実施形態に係るシールドケース固定具によれば、同一形状の二つのシールドクリップ１０をシールドケース２０の一の角２１と一の角２１の対角の他の角２３とにそれぞれ対応する基板３０上の位置に固定し、シールドケース２０をそれぞれシールドクリップ１０に装着することで基板３０へ固定するようにしている。
従って、それぞれのシールドクリップ１０の基板３０上への固定位置を変更することにより、同一形状の一種類のシールドクリップ１０によって、バリエーションを増加させることなく、異なる複数の板厚のシールドケース２０を保持し、基板３０上に固定することができる。
【符号の説明】
【００２２】
１０  シールドクリップ（シールドケース固定具）
１１  内側押部（内側の押圧片）
１２  外側押部（外側の押圧片）
１３  接続部（ベース）
１１ａ，１２ａ  変形部
１２ａ，１２ｂ  接触部
２０  シールドケース
２１  一の角（対象角部）
２２  側壁
２３  他の角（対象角部）
３０  基板
【図１】
0005603210.tif 000002
【図２】
0005603210.tif 000003
【図３】
0005603210.tif 000004
【図４】
0005603210.tif 000005
【図５】
0005603210.tif 000006
【図６】
0005603210.tif 000007
【図７】
0005603210.tif 000008
【図８】
0005603210.tif 000009